(57)【要約】【課題】ＩＰアドレス等の接続情報の入力ミスを防ぎ、人件費や設備の費用をかけずに接続情報を設定することのできる通信装置を提供する。【解決手段】移動体通信用電話番号が記憶されたＩＣカードを挿入して移動体通信網を使用しＴＣＰ／ＩＰネットワークに接続する機能を有する通信装置において、ＩＣカードの電話番号と、当該電話番号に対応するＩＰアドレス、接続先のＩＰアドレス及び接続先の電話番号等の接続情報とを予め記憶したデータベースを有する記憶部１０４と、挿入された移動体通信用電話番号が記憶されたＩＣカードから電話番号を読み出し（Ｓ２０４）、読み出した電話番号が設定されているものと異なる場合に（Ｓ２０５）、前記データベースから読み出した電話番号に対応した接続情報を取得して接続情報を設定することで待受状態に移行制御する（Ｓ２０６−Ｓ２０８）制御部１０２とを備える。【選択図】        図２
2004227036.tif 000002
【特許請求の範囲】
【請求項１】
移動体通信用電話番号が記憶されたＩＣカードを挿入して移動体通信網を使用しＴＣＰ／ＩＰネットワークに接続する機能を有する通信装置において、
複数の電話番号と、当該電話番号に対応するＩＰアドレス、接続先のＩＰアドレス及び接続先の電話番号等の接続情報とを予め記憶したデータベースを有する記憶部と、
挿入された移動体通信用電話番号が記憶されたＩＣカードから電話番号を読み出し、前記データベースから前記読み出した電話番号に対応した接続情報を取得して接続情報を設定することで待受状態に移行制御する制御部とを備えたことを特徴とする通信装置。
【発明の詳細な説明】
【０００１】
【発明の属する技術分野】
本発明は、移動体通信網を使用してＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ネットワークに接続する機能を有する通信装置に関するものである。
【０００２】
【従来の技術】
従来、端末とサーバとの間でダイヤルアップ型ネットワーク接続を行う場合、サーバの通信制御部に自局と相手局との間で行われるべき通信の接続情報を格納するようにしたものがある（例えば特許文献１参照）。
【０００３】
また、移動体通信網を使用してＴＣＰ／ＩＰネットワークに接続する場合、通信装置に、その通信装置のＩＰアドレスや、接続先のＩＰアドレス、電話番号などの接続先情報を設定する必要がある。特に、発信元の電話番号と発信元ＩＰアドレスの設定で認証を行い、正しい電話番号とＩＰアドレスの組み合わせしか接続を受付けないネットワークの場合は、個々の電話番号毎に正しいＩＰアドレスを設定する必要がある。
【０００４】
【特許文献１】
特開２００２−２７５５８号公報（図１）
【０００５】
【発明が解決しようとする課題】
従来、個々の電話番号毎に正しいＩＰアドレスを設定するためには、通信装置に外部から設定を行うためのパソコンなどの機器を接続し、端末個別の情報を個別に手動で設定しなければならず、入力ミスが発生する可能性や個別の情報を入力する作業のための人件費がかかるという問題があった。
【０００６】
また、ＩＰアドレス等の接続情報を、通信を利用してサーバからダウンロードするという方法もあるが、上記と同様な問題や通信を開始するために手動で発信操作を行う必要があり、通信装置の据付現場まで行って作業するための費用や、通信のための費用もかかり、また、ダウンロードするためのサーバを用意するための費用もかかるという問題がある。
【０００７】
本発明は、従来技術の問題点である、ＩＰアドレス等の接続情報を外部からパソコンなどの機器で設定する場合の入力ミスや費用がかかる問題や、接続情報をサーバからタウンロードする場合の費用がかかる問題を解決し、入力ミスを防ぎ、人件費や設備の費用をかけずに接続情報を設定することのできる通信装置を提供することにある。
【０００８】
【課題を解決するための手段】
本発明に係る通信装置は、移動体通信用電話番号が記憶されたＩＣカードを挿入して移動体通信網を使用しＴＣＰ／ＩＰネットワークに接続する機能を有する通信装置において、複数の電話番号と、当該電話番号に対応するＩＰアドレス、接続先のＩＰアドレス及び接続先の電話番号等の接続情報とを予め記憶したデータベースを有する記憶部と、挿入された移動体通信用電話番号が記憶されたＩＣカードから電話番号を読み出し、前記データベースから前記読み出した電話番号に対応した接続情報を取得して接続情報を設定することで待受状態に移行制御する制御部とを備えたことを特徴とする。この構成によれば、接続情報の入力ミスを防ぎ、人件費や設備の費用をかけずに接続情報を自動的に設定することができる。
【０００９】
【発明の実施の形態】
図１は、本発明の実施の形態に係る通信装置の構成を示すブロック図である。
図１に示す通信装置は、無線信号の送受を行う無線部１０１と、通信に伴う信号処理及びＴＣＰ／ＩＰの通信、表示などの制御を行う制御部１０２と、データ入力を行う操作部１０３と、制御プログラムや設定情報のデータベースを記憶する記憶部１０４と、通信状態や設定状態などを表示する表示部１０５と、移動体通信用電話番号が記憶されているＩＣカード１０６から構成されている。なお、記憶部１０４には、接続情報の設定を記憶する場所と、設定情報のデータベースを記憶する場所があり、設定情報のデータベースには工場出荷時にデータが書き込まれる。
【００１０】
図２は、本発明の概略フローチャートである。まず、通信装置を工場から出荷する時に、通信装置の記憶部１０４に、使用する可能性のあるＩＣカードの電話番号と対応するＩＰアドレス、接続先のＩＰアドレス、接続先の電話番号等の接続情報をデータベースに書き込む（ステップＳ２０１）。この接続情報のデータベースは、使用されるＩＣカード１０６の電話番号と対応するＩＰアドレスをあらかじめ把握しておき、出荷するロット毎に同一のデータベースに書き込むことができるため、通信装置一台一台に個別の設定をする必要がない。
【００１１】
ここで、記憶部１０４に記憶されるデータベースは、図３に示す内容を有する。すなわち、図３に示すデータベース３０１には、ＩＣカードの電話番号と、この電話番号に対応するＩＣカードＩＰアドレス、接続先ＩＰアドレス、接続先電話番号及びその他情報が書き込まれる。
【００１２】
次に、通信装置にＩＣカード１０６を差込み（ステップＳ２０２）、通信装置の電源を入れると（ステップＳ２０３）、通信装置は、ＩＣカード１０６に記録されている電話番号を読み出す（ステップＳ２０４）。そして、読み出した電話番号がすでに設定されているものと同じかどうかを判定する（ステップＳ２０５）。読み出した電話番号がすでに設定されているものと同じ場合は、すでに接続情報が設定されているとみなし、待受け状態に移行する（ステップＳ２０６）。
【００１３】
読み出した電話番号がすでに設定されているものと異なるか、設定されていなかった場合は、読み出した電話番号に対応した接続情報をデータベースから取得する（ステップＳ２０６）。取得した接続情報を記憶部１０４に記憶し（ステップＳ２０７）、待受状態に移行する（ステップＳ２０８）。このように、接続情報を設定することで接続の要求があった場合に接続することができる。
【００１４】
上述した例は、データベースに、工場出荷時に設定情報のデータを書き込むことで説明したが、接続先の変更や新たに追加される端末に対して対応するために、データベースの書き換えや追加も可能である。この場合、変更されたデータベースをそのまま端末に手動入力またはダウンロードさせれば、個別の情報のみをデータベースに持たせずにすむので、対応する接続先の入力ミス等を防げる。
【００１５】
従って、上記実施の形態によれば、下記のような効果を奏する。
１）．通信装置の使用者は、ＩＣカード１０６を挿入した後、特別な操作をすることがなく通信を行うことができるため、手動で設定する場合に比べて、入力のミスをする可能性がなくなり、設定するためのパソコンなどの装置を別途用意する必要がないため、費用を削減することができる。
【００１６】
２）．通信装置の使用者は、ＩＣカード１０６を挿入した後、特別な操作をすることがなく通信を行うことができるため、サーバから設定情報をダウンロードする場合に比べて、据付現場での作業をする必要がなくなり、人件費の削減と、サーバなどの設備の費用を削減することができる。
【００１７】
３）．通信装置の使用者は、ＩＣカード１０６を挿入した後、特別な操作をすることがなく、通信を行うことができるため、据付現場への据付時に設定を行う人員を用意する必要がなくなり、据付工程を容易に組むことができるようになる。データベースに変更があっても、データベースごと書き換えが可能であるため、対応する接続情報を間違いなく対応付けできる。
【００１８】
【発明の効果】
以上のように、本発明によれば、通信装置の使用者はＩＣカードを挿入した後、特別な操作をすることがなく通信を行うことができるため、手動で設定する場合に比べて、入力ミスをする可能性がなくなり、設定するためのパソコンなどの装置を別途用意する必要がなく、接続情報の入力ミスを防ぎ、人件費や設備の費用をかけずに接続情報を自動的に設定することができる。
【図面の簡単な説明】
【図１】本発明の実施の形態に係る通信装置の構成を示す図である。
【図２】本発明の実施の形態に係る通信装置の動作を説明するフローチャートである。
【図３】図１の記憶部１０４内に備えられるデータベースのテーブル例を示す図である。
【符号の説明】
１０１  無線部、１０２  制御部、１０３  操作部、１０４  記憶部、１０５
表示部、１０６  ＩＣカード、３０１  データベース。
【図１】
2004227036.tif 000003
【図２】
2004227036.tif 000004
【図３】
2004227036.tif 000005